(57)【要約】【課題】隙間の大きさに誤差が生じている場合であっても、その隙間に正確に適合することができ、また、厳密な寸法精度が要求されない密閉部材、及びこれを用いた壁面構造を提供する。【解決手段】本発明に係る密閉部材は、長尺状の本体部５２と、可撓性を有し、本体部５２と平行に延びる長尺状の変形部５３と、を備え、変形部５３の断面における両端が本体部５２と連結され、本体部５２と変形部５３との間に、本体部５２の長手方向に延びる空間Ｇが形成されている。【選択図】図９
2007247348.tif 000002
【特許請求の範囲】
【請求項１】
長尺状の本体部と、
可撓性を有し、前記本体部と平行に延びる長尺状の変形部と、を備え、
前記変形部の断面における両端が前記本体部と連結され、
前記本体部と変形部との間に、前記本体部の長手方向に延びる空間が形成されている、密閉部材。
【請求項２】
長尺状の本体部と、
前記本体部と平行に延び、可撓性のある長尺状の変形部と、を備え、
前記変形部の断面における一端が前記本体部と連結され、
前記本体部と変形部との間に、前記本体部の長手方向に延びるとともに、前記変形部の断面における他端側に開口する空間が形成されている、密閉部材。
【請求項３】
前記変形部は、断面においてアーチ状に形成されている、請求項１または２に記載の密閉部材。
【請求項４】
前記空間に面する前記本体部の端面、及び前記空間に面する前記変形部の端面の少なくとも一方には、断面矩形状の凹部が形成されている、請求項１から３のいずれかに記載の密閉部材。
【請求項５】
前記本体部において、前記変形部が設けられている側と反対側の端部には、滑り止め用の凹凸が形成されている、請求項１から４のいずれかに記載の密閉部材。
【請求項６】
壁体に取り付けられる化粧用の壁面構造であって、
壁体に対し水平方向に取り付けられる長尺状に形成され、長手方向に平行に延びる少なくとも２つの凹部が形成された複数の係合型材と、
矩形状の化粧ボード、及び当該化粧ボードの背面の上部に取り付けられ前記係合型材の下側の凹部に嵌合する固定用突部が形成された複数の壁パネルと、
棚板、当該棚板の後端部に取り付けられ、前記係合型材の上側の凹部に嵌合する固定用突部を有する棚体と、
請求項１から５のいずれかに記載の密閉部材と、を備え、
上下方向に並ぶ２つの前記壁パネルの間から露出する前記係合型材の上側の凹部に、前記棚体の固定用突部が嵌合し、
上側に配置された前記壁パネルの下端と、前記棚体の上端との間に、前記密閉部材が圧入される、壁面構造。
【請求項７】
上下方向に並ぶ前記係合型材の間に配置される基板と、
前記化粧ボードの背面及び前記基板を固定する固定機構と
をさらに備えている、請求項６に記載の壁面構造。
【発明の詳細な説明】
【技術分野】
【０００１】
本発明は、隙間に圧入される密閉部材、及びこれを用いて壁面に配置される壁面構造に関する。
【背景技術】
【０００２】
従来、住宅や店舗内部の壁面を装飾する方法としては、壁面表面に壁紙や化粧シートを貼着する方法、あるいは、壁紙や化粧シートを貼着した壁パネルを用意しておき、これを壁面に釘打ち法、ビス止め法または接着剤等により取り付ける方法等により行われているが、いずれの方法においても、模様替えや老朽化により貼り替えや交換は素人では困難であると共に工期や工費がかかるという問題があった。
【０００３】
そこで、簡単に取り外しや取り付けが可能な壁パネルの取り付け方法として、たとえば、特殊な嵌合金具や螺子止め金具等を使用する方法が各種提案されている（たとえば、特許文献１参照）。
【０００４】
また、このような壁パネルを取り付ける際、パネル間に隙間が生じる場合があり、その隙間を埋めるために、ガスケット等の密閉部材を圧入することもある。このような密閉部材としては、種々のものが提案されているが、例えば、特許文献２に記載のものがある。この密閉部材は、芯材の周囲に弾性体を被覆することで構成されている。
【特許文献１】特開平６−３４１２０７号公報
【特許文献２】特開２００１−４０３１号公報
【発明の開示】
【発明が解決しようとする課題】
【０００５】
ところが、このような密閉部材では、隙間に正確に密着させるため、高い寸法精度が要求され、これによってコストが高くなる場合がある。その一方で、密閉部材自身の寸法精度を高めたとしても、これを嵌め込む隙間の大きさが寸法通りになっていない場合には、隙間に的確に圧入することができない。このような状況から、従来より、ある程度の誤差を考慮した密閉部材が要望されていた。
【０００６】
以上のような問題は、上述した壁パネルの取付に用いられるのみならず、隙間を埋めるような用途など、一般的な密閉部材にも要求も生じる問題である。
【０００７】
本発明は、上記問題を解決するためになされたものであり、隙間の大きさに誤差が生じている場合であっても、その隙間に正確に適合することができ、また、厳密な寸法精度が要求されない密閉部材、及びこれを用いた壁面構造を提供することを目的とする。
【課題を解決するための手段】
【０００８】
本発明に係る第１の密閉部材は、上記問題を解決するためになされたものであり、長尺状の本体部と、前記本体部と平行に延び、可撓性のある長尺状の変形部と、を備え、前記変形部の断面における両端が前記本体部と連結され、前記本体部と変形部との間に、前記本体部の長手方向に延びる空間が形成されている。
【０００９】
この構成によれば、本体部と変形部との間に空間が形成されているため、例えば、この密閉部材を圧入する隙間の寸法が予定していたものよりも小さかったとしても、変形部の変形に加え、空間が縮小することで全体の大きさが小さくなり、隙間への圧入が可能となる。したがって、種々の大きさの隙間に対して対応することができる。また、この密閉部材の製造に当たって、厳密な寸法精度を要求されないため、製造コストを低減することができる。
【００１０】
本発明に係る第２の密閉部材は、上記問題を解決するためになされたものであり、長尺状の本体部と、前記本体部と平行に延び、可撓性のある長尺状の変形部と、を備え、前記変形部の断面における一端が前記本体部と連結され、前記本体部と変形部との間に、前記本体部の長手方向に延びるとともに、前記変形部の断面における他端側に開口する空間が形成されている。
【００１１】
この構成によれば、上記第１の発明で得られる効果に加え、次の効果を得ることができる。
【００１２】
第１の発明に係る密閉部材では、隙間に圧入する際に、変形部が可撓変形するとともに、空間が押しつぶされ、これによって狭い隙間にも圧入することができる。しかしながら、本体部と変形部との間の空間が断面において閉じているため、空間がつぶされたときに、変形部の変形が逃がされず、しわがよる場合がある。そうすると、このしわが圧入の妨げになることがある。
【００１３】
これに対して、第２の発明に係る密閉部材では、変形部の断面における一端のみが本体部と連結されており、本体部と変形部との間の空間は、変形部の断面における他端側に開口している。したがって、空間が断面において閉じていないため、変形部の変形が解放され、しわが生じるのを防止することができる。その結果、密閉部材の圧入をスムーズに行うことができる。
【００１４】
上記密閉部材においては、変形部を、例えば、断面においてアーチ状に形成することができる。こうすることで、本体部と変形部との間に確実に空間を形成することができ、寸法誤差などの隙間の大きさの変化を吸収することができる。
【００１５】
また、空間に面する前記本体部の端面、及び前記空間に面する前記変形部の端面の少なくとも一方に、断面矩形状の凹部を形成することもできる。このような凹部を形成しておけば、密閉部材を隙間から取り外すときに、密閉部材の長手方向の端部からドライバー等の部材を挿入することができる。そして、ドライバー等を引っ掛けることができるので、隙間から密閉部材を容易に取り外すことができる。
【００１６】
さらに、本体部において、変形部が設けられている側と反対側の端部には、滑り止め用の凹凸を形成することができる。これにより、密閉部材を隙間の中に確実に保持することができ、振動などで密閉部材が隙間から外れるのを確実に防止することができる。
【００１７】
また、本発明は、壁体に取り付けられる化粧用の壁面構造であって、上記問題を解決するためになされたものであり、壁体に対し水平方向に取り付けられる長尺状に形成され、長手方向に平行に延びる少なくとも２つの凹部（挿嵌溝）が形成された複数の係合型材と、矩形状の化粧ボード、及び当該化粧ボードの背面の上部に取り付けられ前記係合型材の下側の凹部に嵌合する固定用突部（挿嵌部）が形成された複数の壁パネルと、棚板、当該棚板の後端部に取り付けられ、前記係合型材の上側の凹部に嵌合する固定用突部（挿嵌部）を有する棚体と、上述したいずれかの密閉部材と、を備え、上下方向に並ぶ２つの前記壁パネルの間から露出する前記係合型材の上側の凹部に、前記棚体の固定用突部が嵌合し、上側に配置された前記壁パネルの下端と、前記棚体の上端との間に、前記密閉部材が圧入される。
【００１８】
このような壁面構造では、化粧パネルの寸法誤差、係合型材の寸法誤差、または係合型材の配置位置の誤差等、種々の要因で、上側に配置された前記化粧パネルの下端と、前記棚体の上端との間の寸法が変化する可能性がある。このような場合、上述した密閉部材を使用することで、隙間を確実に埋めることができる。また、密閉部材で隙間を埋める際の圧力で、棚体を強固に固定することができる。
【００１９】
上記壁面構造において、上下方向に並ぶ前記係合型材の間に配置される基板と、化粧パネルの背面及び前記基板を固定する固定機構とをさらに備えることができる。
【発明の効果】
【００２０】
本発明によれば、隙間の大きさに誤差が生じている場合であっても、その隙間に正確に適合することができ、また、厳密な寸法精度が要求されることがない。
【発明を実施するための最良の形態】
【００２１】
以下、本発明に係る密閉部材及びこれを用い壁面構造の一実施形態について図面を参照しつつ説明する。図１は、本実施形態に係る壁面構造の斜視図、図２は図１のＡ−Ａ線断面図である。なお、以下の説明では、壁面から突出する方向を「前」、その反対方向を「後」と称することとする。
【００２２】
図１及び図２に示すように、この壁面構造は、壁面を装飾するためのものであり、複数の壁パネルＢによって壁面Ｗを覆っている。壁面Ｗには、複数の長尺状の係合型材Ａ，Ｓ，Ｔと、矩形状の基板Ｆとが配置され、これらに対して壁パネルＢが取り付けられる。そして、壁パネルＢ上には、物品などを載せる棚体Ｅが配置されている。より詳細に説明すると、水平方向に延びる複数の係合型材Ａ，Ｓ，Ｔを上下に平行に並べるとともに、これらの間に基板Ｆを配置する。そして、係合型材Ａ，Ｓ，Ｔ及び基板Ｆは、壁面Ｗに対して釘、ねじ等で固定する。また、水平方向の両端の基板Ｆには、エンドカバー３８が取り付けられる。以上の係合型材Ａ，Ｓ，Ｔ、基板Ｆ、エンドカバー３８が壁下地材Ｍを構成する。そして、この壁下地材Ｍを覆うように、複数の壁パネルＢを配置する。各壁パネルＢは、係合型材Ａ，Ｓ，Ｔに対して固定されるとともに、基板Ｆに対しても固定される。そして、棚体Ｅが、壁パネルＢ上に配置され、係合型材Ａ，Ｓ，Ｔに固定される。このとき、壁パネルＢの下端と、棚体Ｅの上端との間の隙間には、密閉部材５１が圧入される。以下、上述した各部材について詳細に説明する。
【００２３】
図３は壁パネルの斜視図、図４は壁パネルの背面に取り付けられる取り付け具の斜視図（ａ）及び断面図（ｂ）である。壁パネルＢは、矩形状の化粧ボード２０の背面上部に、取付具Ｄを取り付けることで構成されている。化粧ボード２０は、例えば、木質系基材の一方面に、化粧シートを貼り付けたものであり、化粧シートを貼り付けた面が表面となる。木質系基材としては、例えば、一般木材、中密度繊維板（いわゆる、ＭＤＦ）、合板、パーティクルボード等を用いることかできる。一方、化粧シートとしては、例えば、木目調、石目調、布目調、ヘアーライン調等のシートを用いたり、或いは布等をシートとして貼り付けることができる。さらに、天然木や天然石そのものからなるシートであってもよい。また、化粧ボード２０の背面上部には、水平方向に延びる挿入溝２１が形成されており、この挿入溝２１に次に説明する取付具Ｄが取り付けられる。一方、化粧ボード２０の下端部の両側付近には、一対のダボ穴２２が形成されている。
【００２４】
取付具Ｄはアルミニウム等の金属、あるいは、合成樹脂で形成された板状固定部１０を有しており、長手方向の両端付近には、ねじ穴Ｒが形成されている。また、板状固定部１０の上端部には前方及び後方に突出部が設けられている。後方への突出部は、板状固定部１０から略垂直方向に突出し、断面円弧状に形成された板状嵌挿部１１を構成している。一方、前方への突出部は、表面に凹凸が形成された挿入突起部１２を構成している。そして、図３に示すように、この挿入突起部１２が上述した化粧ボード２０の挿入溝２１に嵌合するとともに、ねじ穴ＲにねじＱが挿通されることで、取付具Ｄが化粧ボード２０に固定される。
【００２５】
基板Ｆについては、後述する図１０〜図１２に詳細に示されているが、例えば、一般木材、中密度繊維板（いわゆる、ＭＤＦ）、合板、パーティクルボード等で構成することができる。そして、水平方向の右側の端部が切り欠かれている。また、表面の下端部には、一対のダボ３９が形成されており、このダボが上述した化粧ボード２０のダボ穴２２に嵌入する。
【００２６】
図５〜図７は、それぞれ係合型材を示す斜視図（ａ）及び断面図（ｂ）である。係合型部は、３種類のものがある。すなわち、図２に示すように、壁面構造の最も上端に配置される第１係合型材Ｓ、上下方向に並ぶ基材と基材の間に配置される第２係合型材Ａ、及び最も下端に配置される第３係合型材Ｔである。
【００２７】
まず、第１係合型材Ｓから説明する。図２に示すように、この係合型材Ｓは、壁面構造の最上端に配置されるものであり、この係合型材Ｓの下部に基材Ｆの上端が嵌め込まれる。すなわち、この係合型材Ｓの上部には、基材は存在しない。図５に示すように、第１係合型材Ｓは、アルミニウム等の金属で形成され、水平に延びる挿嵌部Ｌを備えている。この挿嵌部Ｌは、壁面から水平に突出するように延びる上板１’と下板２’を備え、この間に、断面が上向き円弧状で下端に挿入口３ｂを有する挿嵌溝３３が形成されている。また、挿嵌部Ｌの下面の後部には逆コの字状の取付縁８’が垂下し、挿嵌部Ｌの下面の前部には取付縁８’と所定間隔を開けて板状の垂下状突起７’が垂下している。また、取付縁８’の長手方向の両端付近及び中央には、ねじ穴Ｒが形成されている。そして、取付縁８’と垂下状突起７’との間には、後述する基板Ｆが嵌合される。
【００２８】
次に、第２係合型材Ａについて説明する。上述したように、この係合型材は、上下方向に並ぶ基材Ｆと基材Ｆの間に配置されるものである。図６に示すように、この係合型材Ａはアルミニウム等の金属で形成され、水平方向に延びる上板１と下板２とを有する嵌挿部Ｌを備えている。上板１と下板２の間には、上段挿嵌溝３と下段挿嵌溝４とからなる上下二段の２条の挿嵌溝が形成されている。各嵌挿溝３，４は、それぞれ断面が上向き円弧状で下端にそれぞれ上段挿入口３ａと下段挿入口４ａを有している。
【００２９】
下板２の下面の後端部には、逆Ｌ字状の支持縁９が垂下し、同じく下面の前端部には、支持縁９から所定間隔をおいて板状の垂下状突起７が垂下している。そして、これら支持縁９と前記垂下状突起７との間には、後述するように、基板Ｆが嵌合される。一方、上板１の上面の後部には、前側に開口する断面コの字状の板状取付縁８が立設し、上板上面の前部には、板状取付縁８と所定間隔をあけて板状の垂直状突起６が立設している。また、板状取付縁８の水平方向両端には、一対のねじ穴Ｒが形成されている。そして、取付縁８と垂直状突起６との間には、後述するように、基板Ｆが嵌合される。
【００３０】
続いて、第３係合型材について説明する。この係合型材は、壁面構造の最下端に配置されるものであり、図２に示すように、最も下部に配置される基板Ｆの下端に、この係合型材Ｔが取り付けられる。図７に示すように、この係合型材Ｔはアルミニウム等の金属で形成され、水平方向に延びる下板２”の前端部に垂直上方に突出する板状突起３４を備えた断面ｈ字状の突起部が設けられている。また、下板２”の後端部には、垂直上方に起立形成された断面略柄杓（ひしゃく）状の取付縁８”が設けられている。そして、板状突起３４と取付縁８”との間には、断面Ｔ字状の嵌合凸部３５が上方に突出している。そして、板状突起３４と取付縁８”との間には、下端にＴ字状溝が形成された基板Ｆが嵌め込まれる。また、取付縁８”には、水平方向に沿って３つのねじ穴Ｒが形成されている。なお、Ｔ字状溝が形成されていない基板Ｆを嵌合凸部３５に嵌合するようにしてもよいものである。
【００３１】
なお、図５〜図７においては、いずれもねじ穴Ｒを取付縁８，８’，８”に穿設したものを示したが、たとえば、材料がアルミニウムの押出し型材からなる場合は、予めねじ穴Ｒを設けることなく取り付け時に取付縁８，８’，８”に直接にねじを螺着してもよいものである。
【００３２】
次に、棚体について、図８を参照しつつ説明する。この棚体は、棚板Ｖと、これを支持する棚受け用係止型材Ｃとで構成されている。図８（ａ）は棚受け用係止型材Ｃの斜視図，図８（ｂ）は棚受け用係止型材Ｃの断面図，図８（ｃ）は棚体の断面図である。
【００３３】
図８に示すように、棚受け用係止型材Ｃはアルミニウム等の金属で形成され、垂直方向に延びる支持板部１７を備えており、この支持板部１７の上端には、前方に垂直に延びる棚板挟持用上板部１６と、後方へ垂直に突出する断面弧状の板状挿嵌部１５とが設けられている。支持板部１７の中間部には、前方へ垂直に延びる棚板挟持用下板部１８が設けられており、棚板挟持用上板部１６との間に棚板Ｖが挿入される。支持板部１７において、棚板挟持用下板部１８と棚板挟持用上板部１６との間には、鋸歯状の板状挿入突起１９が形成されており、棚板Ｖの後端部に形成された挿入溝２１’に、この板状挿入突起１９が嵌め込まれる。また、支持板部１７の下端部と、棚板挟持用下板部１８の前端部との間には、支持強度を高めるために、板状の補強部４１が斜めに架け渡されている。これにより、棚板挟持用下板部１８、支持板部１７、及び補強部４１は、略直角三角形状の断面を形成している。
【００３４】
続いて、密閉部材について図９を参照しつつ説明する。図９は、密閉部材の斜視図（ａ）及び断面図（ｂ）である。同図に示すように、この密閉部材５１は、長尺状の本体部５２と、この本体部５２と平行に延び、可撓性のある長尺状の変形部５３とを備えている。本体部５２は、断面が矩形状でその上面に変形部５３が配置されている。変形部５３は、断面がアーチ状に形成され、断面における両端部（図９（ｂ）の左右方向端部）が本体部５２の上面の両端部に連結されている。これにより、本体部５２と変形部５３との間には、断面において閉じた空間Ｇが形成されている。また、本体部５２において空間Ｇと面する上面には、断面矩形状の凹部５４が形成されている。一方、本体部５２の下面には、滑り止め用の凹凸５５が形成されている。このように形成された密閉部材５１は、種々の弾性部材を用いることができるが、例えば、ＰＰ，ＰＥ，ＥＰＤＭ等のオレフィンエラストマー系のゴムを用いることができる。その他、ブタジエンゴム、スチレン−ブタジエンゴム、イソプレンゴム、エチレン−プロピレンゴム、ブチルゴム、クロロプレンゴム、アクリロニトリル−ブタジエンゴム、アクリルゴム、ウレタンゴム、シリコーンゴム、フッ素ゴム、多硫化ゴム、ポリエーテルゴム、クロロスルホン化ポリエチレン等の合成ゴムを用いることもできる。なお、ゴムの硬度は、６０°〜９０°であることが好ましい。
【００３５】
次に、上記のように構成された壁面構造の施工方法について図１、図２及び図１０〜図１２を参照しつつ説明する。図１０は壁体に取り付けた壁下地材の正面図、図１１は図１０のＸ−Ｘ線断面図、図１２は図１０のＹ−Ｙ線断面図である。
【００３６】
壁下地材Ｍの取り付け方法としては、まず、第３係合型材Ｔを、壁面Ｗに対して水平にねじ穴ＲにねじＱを螺着することで、壁面Ｗに取り付ける。そして、基板Ｆの下端を第３係合型材Ｔの板状突起３４と取付縁８”との間に嵌合する。このとき、基板Ｆの下端面のＴ字状溝を嵌合凸部３５に嵌入させる。次に、基板Ｆの上端部に第２係合型材Ａを嵌合するとともに、この第２係合型材Ａを壁面Ｗに取り付ける。この取り付けは、ねじ穴ＲにねじＱを螺着することで行う。また、基板Ｆの上端は、第２係合型材Ａの支持縁９と垂下状突起７との間に嵌入する。続いて、新たな基板Ｆの下端部を第２係合型材Ａの取付縁８と垂直状突起６との間に嵌合する。
【００３７】
これに続いて、上記と同様に、新たな第２係合型材Ａと基板Ｆの取り付けを行う。そして、最上段の基板Ｆの上端に、第１係合型材Ｓを嵌合する。このとき、基板Ｆの上端は、係合型材Ｓの取付縁８’と垂下状突起７’とで挟むようにする。また、第１係合型材Ｓは、螺子孔Ｒを貫通するように螺子Ｑを壁体Ｗに螺着することで、基板Ｆとともに壁体Ｗに固定する。そして、各基板Ｆにねじまたは釘を打ち付け、基板Ｆ自体を壁体Ｗに固定する。以上の作業は、上下方向の一列の取付のみを説明したが、図１０に示すように、横方向には、同時に３枚の基板Ｆを取り付け、これを上方へと継ぎ足しつつ合計９枚の基板Ｆを取り付ける。こうして、係合型材Ａ，Ｓ，Ｔ及び基板Ｆの取付が完了すると、両側の基板Ｆに、エンドカバー３８を取り付ける。図１１に示すように、エンドカバー３８は、Ｔ字型の長尺状に形成され、両側に配置されている基板Ｆの側面にねじ止めする。これにより、壁下地材Ｍの両側面に配置された係合型材Ａ，Ｓ，Ｔ及び基板Ｆの側端面が覆われる。
【００３８】
以上のようにして、壁下地材の取付が完了すると、壁パネルの取付を行う。このとき、壁パネルＢは、各基板Ｆを覆うように、合計９枚用いる。壁パネルの取付は、背面の取付具Ｄの板状挿嵌部１１を各係合型材Ａ，Ｓ，Ｔの嵌挿溝３，４に嵌め込むとともに、ダボ３９を基板Ｆのダボ穴２２に嵌め込むことで行う。このとき、第２係合型材Ａに対しては、下段嵌挿溝４に板状嵌挿部１１を嵌め込む。
【００３９】
続いて、棚体Ｅの取付を行う。図１に示すように、棚体Ｅは、いずれかの壁パネルＢを覆うように取り付ける。まず、上下方向に並ぶ壁パネルから露出する第２係合型材Ａの上段嵌挿溝３に棚体Ｅの棚板挿嵌部１５を挿入する。続いて、図２に示すように、棚板挿嵌部１５と壁パネルＢの下端との間の隙間を埋めるために、密閉部材５１を圧入する。これにより、棚板挿嵌部１５が上方から押圧され、棚体Ｅが確実に固定される。
【００４０】
以上のように、本実施形態に係る密閉部材５１によれば、本体部５２と変形部５３との間に空間Ｇが形成されているため、例えば、この密閉部材５２を圧入する隙間の寸法が予定していたものよりも小さかったとしても、変形部５３の変形するとともとに、空間Ｇが縮小することで全体の大きさが小さくなるため、隙間への圧入が可能となる。したがって、種々の大きさの隙間に対応することができる。また、この密閉部材５１は、変形量が大きいため、その製造に当たって、厳密な寸法精度を要求されないため、製造コストを低減することができる。
【００４１】
また、本体部５２において空間Ｇと面する上面には、断面矩形状の凹部５４が形成されているため、この凹部５４に密閉部材５１の長手方向の端部からドライバー等を挿入することができ、これによって密閉部材５１の取り外しを容易に行うことができる。
【００４２】
以上、本発明の一実施形態について説明したが、本発明はこれに限定されるものではなく、その趣旨を逸脱しない限りにおいて種々の変更が可能である。例えば、上記実施形態に係る密閉部材では、断面において変形部５３の両端が本体部５２に接続されて空間Ｇが閉状態になっているため、空間Ｇが大きく潰されて変形したときに、図１３に示すように、変形部５３がシワになって圧入の妨げになることが考えられる。これに対して以下のように構成することができる。
【００４３】
図１４に示すように、この例では、断面において変形部５３の一端部のみが本体部５２に連結されている。すなわち、空間Ｇの断面が閉状態になっていないため、変形部５３と本体部５２とが連結されていない断面の一端側１００から、変形部５３の変形を逃がすことができる。したがって、変形部５３にシワがよるのを防止でき、密閉部材５１の隙間への圧入を確実に行うことができる。
【００４４】
また、上述した壁パネルＢも上記下ものに限定されず、種々の変更が可能である。例えば、図１５のような取付具を用いることもできる。この取付具Ｄ’は図４に示した取付具Ｄにおいて、下端部に板状嵌挿部１１側に突出する断面Ｔ字状の支持部１３が設けられている。これ以外の構成は図４に示した取付具Ｄと同じである。そして、この取付具を取り付けた壁パネルＢ’が図１６に示したものである。同図に示すように、支持部１３は、化粧ボードＢ’の背面から壁下地材Ｍ側に突出し、基板Ｆに当接する。
【００４５】
この壁パネルＢ’を用いることにより、図１７に示すように、壁パネルＢ’に設けた取付具Ｄ’の支持部１３が基板Ｆにより支持されることとなり、壁パネルＢ’の安定性を得ることができる。そして、上述した棚体Ｅを係合型材Ａの上段挿入口３ａから上段挿嵌溝３に挿嵌して取り付けた際に、棚体Ｅ（棚部材上に置かれた物品を含む）の荷重を壁パネルＢ’を介して確実に受けることができるので、壁パネルＢに比べて強度のある壁面構造とすることができる。この場合、この取付具Ｄ‘の支持部１３と棚体Ｅの支持板部１７の下端部Ｚとが、化粧ボード２０を挟んで対向する位置に配置されるようにすることが好ましい。これにより、次の効果を得ることができる。つまり、棚板Ｖに物品をのせた場合、棚板Ｖには、下向きの荷重が作用する。これを支持するのが上述した棚板挟持用下板部１８、支持板部１７、及び補強部４１であるが、この荷重の多くは支持板部１７の下端Ｚに作用するため、その押圧力によって化粧ボード２０が損傷する恐れがある。これに対して、上述したように構成すると、支持板部１７の下端Ｚに作用する力を、取付具Ｄ‘の支持部１３で受け止めることができるため、化粧ボードが損傷するのを防止することができる。
【００４６】
また、上記実施形態では、壁パネルと基板とをダボとダボ孔とによって固定しているが、壁パネルと基板とを固定する固定機構はこれに限定されるものでなく、スナップ式の固定具など種々のものを用いることができる。
【００４７】
上述した密閉部材は、壁パネルに用いられるのみならず、その他一般の隙間を埋める用途としても使用できるのは勿論である。
【図面の簡単な説明】
【００４８】
【図１】本発明に係る壁面構造の一実施形態を示す斜視図である。
【図２】図１のＡ−Ａ線断面図である。
【図３】図１の壁面構造に用いられる壁パネルの斜視図である。
【図４】図３の壁パネルに取り付けられる取付具の斜視図（ａ）及び断面図（ｂ）である。
【図５】図１の壁面構造に用いられる第１係合型材の斜視図（ａ）、及び断面図（ｂ）である。
【図６】図１の壁面構造に用いられる第２係合型材の斜視図（ａ）、及び断面図（ｂ）である。
【図７】図１の壁面構造に用いられる第３係合型材の斜視図（ａ）、及び断面図（ｂ）である。
【図８】図１の壁面構造に用いられる棚体を示す図であり、棚受け用係止型材の斜視図（ａ），その断面図（ｂ），及び棚体の断面図（ｃ）である。
【図９】図１の壁面構造に用いられる密閉部材の斜視図及び断面図である。
【図１０】図１の壁面構造に用いられる壁下地材の正面図である。
【図１１】図１０のＸ−Ｘ線断面図である。
【図１２】図１０のＹ−Ｙ線断面図である。
【図１３】図９の密閉部材の圧入の様子を示す図である。
【図１４】図９の密閉部材の他の例を示す断面図である。
【図１５】図４の取付具の他の例を示す斜視図（ａ）及び断面図（ｂ）である。
【図１６】図１５の取付具が取り付けられた壁パネルの斜視図である。
【図１７】図１６の壁パネルが用いられた壁面構造の断面図である。
【符号の説明】
【００４９】
１，１’                              上板
２，２’，２”                        下板
３                                    上段挿嵌溝
３ａ                                  上段挿入口
３ｂ                                  挿入口
４                                    下段挿嵌溝
４ａ                                  下段挿入口
６                                    垂直状突起
７，７’                              垂下状突起
８，８’，８”                        板状取付縁
９                                    支持縁
１０                                  板状固定部
１１                                  板状挿嵌部
１２                                  板状突起部
１３                                  支持部
１５                                  棚板挿嵌部
１６                                  棚板挟持用上板部
１７                                  支持板部
１８                                  棚板挟持用下板部
１９                                  板状挿入突起
２０                                  化粧ボード
２１，２１’                          挿入溝
２２                                  ダボ穴
３３                                  挿嵌溝
３４                                  板状突起
３５                                  嵌合凸部
３６                                  Ｌ字状切欠部
３７                                  断面略コの字状凹部
３８                                  エンドカバー
３９                                  ダボ
４１                                  連結部
５１                                  密閉部材
５２                                  本体部
５３                                  変形部
５４                                  凹部
５５                                  凹凸
Ａ，Ｓ，Ｔ                            レール状係合型材
Ｂ，Ｂ’                              壁パネル
Ｃ                                    棚受け用係止型材
Ｄ，Ｄ’                              取付具
Ｅ                                    棚体
Ｆ                                    基板
Ｌ                                    挿嵌部
Ｍ                                    壁下地材
Ｎ１，Ｎ２                            壁面構造
Ｑ                                    螺子
Ｒ                                    螺子孔
Ｖ                                    棚板
Ｗ                                    壁体
【図１】
2007247348.tif 000003
【図２】
2007247348.tif 000004
【図３】
2007247348.tif 000005
【図４】
2007247348.tif 000006
【図５】
2007247348.tif 000007
【図６】
2007247348.tif 000008
【図７】
2007247348.tif 000009
【図８】
2007247348.tif 000010
【図９】
2007247348.tif 000011
【図１０】
2007247348.tif 000012
【図１１】
2007247348.tif 000013
【図１２】
2007247348.tif 000014
【図１３】
2007247348.tif 000015
【図１４】
2007247348.tif 000016
【図１５】
2007247348.tif 000017
【図１６】
2007247348.tif 000018
【図１７】
2007247348.tif 000019
【手続補正書】
【提出日】平成19年4月18日(2007.4.18)
【手続補正１】
【補正対象書類名】図面
【補正対象項目名】図１
【補正方法】変更
【補正の内容】
【図１】
2007247348.tif 000020
【手続補正２】
【補正対象書類名】図面
【補正対象項目名】図２
【補正方法】変更
【補正の内容】
【図２】
2007247348.tif 000021
【手続補正３】
【補正対象書類名】図面
【補正対象項目名】図８
【補正方法】変更
【補正の内容】
【図８】
2007247348.tif 000022
【手続補正４】
【補正対象書類名】図面
【補正対象項目名】図９
【補正方法】変更
【補正の内容】
【図９】
2007247348.tif 000023
【手続補正５】
【補正対象書類名】図面
【補正対象項目名】図１２
【補正方法】変更
【補正の内容】
【図１２】
2007247348.tif 000024
【手続補正６】
【補正対象書類名】図面
【補正対象項目名】図１３
【補正方法】変更
【補正の内容】
【図１３】
2007247348.tif 000025
【手続補正７】
【補正対象書類名】図面
【補正対象項目名】図１４
【補正方法】変更
【補正の内容】
【図１４】
2007247348.tif 000026